(57)【要約】【課題】複数の内視鏡に対して再生処理を施した場合に、再生処理済みの内視鏡付属品を分離される前の内視鏡と固有のセットとして管理可能な付属品ケース、付属品ケースシステムおよび内視鏡リプロセッサを提供する。【解決手段】  付属品ケースは、内視鏡付属品を収容する第１容器と、前記第１容器に配置され、前記第１容器を内視鏡リプロセッサの処理槽に設けられた送液口に接続する第１供給口と、他の付属品ケースと連通可能に接続される第１流出口と、前記第１容器に配置され、前記第１容器内に前記内視鏡付属品を出入するための開口を含む第１出入部と、を含む。【選択図】図２
2018143538.tif 000002
【特許請求の範囲】
【請求項１】
内視鏡付属品を収容する付属品ケースであって、
前記内視鏡付属品を収容する第１容器と、
前記第１容器に配置され、前記第１容器を内視鏡リプロセッサの処理槽に設けられた送液口に接続する第１供給口と、
他の付属品ケースと連通可能に接続される第１流出口と、
前記第１容器に配置され、前記第１容器内に前記内視鏡付属品を出入するための開口を含む第１出入部と、
を含むことを特徴とする付属品ケース。
【請求項２】
前記第１容器内に配置され、前記第１供給口および前記第１流出口を接続する管路と、
前記管路の壁面に設けられ、前記管路内と前記第１容器の内部空間とを連通する少なくとも一つの貫通孔と、
を含むことを特徴とする請求項１に記載の付属品ケース。
【請求項３】
前記第１流出口に配置され、前記第１流出口に何も接続されていない場合には前記第１流出口を閉じ、前記第１流出口に前記他の付属品ケースが接続されている場合には前記第１流出口を開くバルブを含むことを特徴とする請求項１に記載の付属品ケース。
【請求項４】
内視鏡付属品を収容する第１容器と、
前記第１容器に配置され、前記第１容器を内視鏡リプロセッサの処理槽に設けられた送液口に接続する第１供給口と、
前記第１容器に配置された開口である第１流出口と、
前記第１容器に配置された開口であり前記内視鏡付属品を出入する第１出入部と、
前記内視鏡付属品を収容する第２容器と、
前記第２容器に配置され、前記第２容器を前記第１流出口に接続する第２供給口と、
前記第２容器に配置された開口であり前記内視鏡付属品を出入するための開口を含む第２出入部と、
を含むことを特徴とする付属品ケースシステム。
【請求項５】
管状の部材であって、一端が前記第１容器の前記第１流出口と接続し、他端が前記第２容器の前記第２供給口と接続する接続部を含むことを特徴とする請求項４に記載の付属品ケースシステム。
【請求項６】
請求項４に記載の前記付属品ケースシステムを含むことを特徴とする内視鏡リプロセッサ。
【請求項７】
内視鏡付属品を収容する容器と、
前記容器に配置された開口であり、前記容器を内視鏡リプロセッサの処理槽に設けられた送液口に接続する一対の接続口と、
前記容器に配置され、前記容器内に前記内視鏡付属品が出入する出入部と、
前記一対の接続口の双方に配置され、前記接続口に何も接続されていない場合には前記接続口を閉じ、前記接続口に前記送液口が接続されている場合には前記接続口を開くバルブと、
を含むことを特徴とする付属品ケース。
【請求項８】
前記容器内に配置され、前記一対の接続口を接続する管路と、
前記管路の壁面に設けられ、前記管路内と前記容器の内部空間とを連通する少なくとも一つの貫通孔と、
を含むことを特徴とする請求項７に記載の付属品ケース。
【請求項９】
一対の請求項７に記載の前記付属品ケースと、
管状の部材であって、両端が前記付属品ケースの前記接続口と接続する接続部と、
を含み、
前記バルブは、前記接続口に前記接続部が接続されている場合にも前記接続口を開くことを特徴とする付属品ケースシステム。
【請求項１０】
請求項９に記載の前記付属品ケースシステムを含むことを特徴とする内視鏡リプロセッサ。
【発明の詳細な説明】
【技術分野】
【０００１】
本発明は、内視鏡付属品に再生処理を施すための付属品ケース、付属品ケースシステムおよび内視鏡リプロセッサに関する。
【背景技術】
【０００２】
医療分野において使用される内視鏡は、使用後に消毒液等の薬液を用いた再生処理が施される。また、例えば特開２００９−１９５４００号公報に開示されているように、内視鏡に対して処理槽内において再生処理を自動的に行う内視鏡洗浄消毒装置が知られている。
【０００３】
特開２００９−１９５４００号公報に開示されている内視鏡洗浄消毒装置は、内視鏡から分離された内視鏡付属品を収容し、内視鏡とともに内視鏡付属品を処理槽内に配置するための洗浄かごを備えている。洗浄かご内に収容された内視鏡付属品は、処理槽内において内視鏡と同時に再生処理が施される。
【０００４】
また、内視鏡洗浄消毒装置には、複数の内視鏡に対して同時に再生処理を施すことが可能なものがある。
【先行技術文献】
【特許文献】
【０００５】
【特許文献１】特開２００９−１９５４００号公報
【発明の概要】
【発明が解決しようとする課題】
【０００６】
内視鏡洗浄消毒装置において、複数の内視鏡に対して同時に再生処理を実行する場合、複数の内視鏡から分離された内視鏡付属品が全て同一箇所に収められてしまうため、再生処理済みの内視鏡付属品を、分離される前の内視鏡と組み合わせて管理することが困難である。
【０００７】
例えば、符号Ａおよび符号Ｂを付した一対の内視鏡のそれぞれに、再生処理の実行前において、符号ａおよびｂを付した一対のグループの内視鏡付属品が装着されており、これらに再生処理を施す場合を想定する。このとき、内視鏡Ａおよび内視鏡Ｂが同一の型式のものである場合には、内視鏡洗浄消毒装置内において、内視鏡付属品ａおよび内視鏡付属品ｂが混ざってしまう。このような状況において、従来の内視鏡洗浄消毒装置では、再生処理後の内視鏡付属品ａおよびｂを入れ替えて管理してしまう可能性が発生する。
【０００８】
個々の内視鏡の使用の履歴や再生処理の履歴は、内視鏡付属品も含めて管理可能であることが好ましく、再生処理の実行後においては内視鏡付属品を分離される前の内視鏡と固有のセットとして管理可能となることが望ましい。
【０００９】
本発明は、上述した問題点を解決するものであって、複数の内視鏡に対して再生処理を施した場合に、再生処理済みの内視鏡付属品を分離される前の内視鏡と固有のセットとして管理可能な付属品ケース、付属品ケースシステムおよび内視鏡リプロセッサを提供することを目的とする。
【課題を解決するための手段】
【００１０】
本発明の一態様による付属品ケースは、内視鏡付属品を収容する付属品ケースであって、前記内視鏡付属品を収容する第１容器と、前記第１容器に配置され、前記第１容器を内視鏡リプロセッサの処理槽に設けられた送液口に接続する第１供給口と、他の付属品ケースと連通可能に接続される第１流出口と、前記第１容器に配置され、前記第１容器内に前記内視鏡付属品を出入するための開口を含む第１出入部と、を含む。
【００１１】
また、本発明の一態様による付属品ケースシステムは、内視鏡付属品を収容する第１容器と、前記第１容器に配置され、前記第１容器を内視鏡リプロセッサの処理槽に設けられた送液口に接続する第１供給口と、前記第１容器に配置された開口である第１流出口と、前記第１容器に配置された開口であり前記内視鏡付属品を出入する第１出入部と、前記内視鏡付属品を収容する第２容器と、前記第２容器に配置され、前記第２容器を前記第１流出口に接続する第２供給口と、前記第２容器に配置された開口であり前記内視鏡付属品を出入するための開口を含む第２出入部と、を含む。また、本発明の一態様による内視鏡リプロセッサは、前記付属品ケースシステムを含む。
【００１２】
本発明の別の態様による付属品ケースは、内視鏡付属品を収容する容器と、前記容器に配置された開口であり、前記容器を内視鏡リプロセッサの処理槽に設けられた送液口に接続する一対の接続口と、前記容器に配置され、前記容器内に前記内視鏡付属品が出入する出入部と、前記一対の接続口の双方に配置され、前記接続口に何も接続されていない場合には前記接続口を閉じ、前記接続口に前記送液口が接続されている場合には前記接続口を開くバルブと、を含む。
【００１３】
また、本発明の別の態様による付属品ケースシステムは、一対の前記付属品ケースと、管状の部材であって、両端が前記付属品ケースの前記接続口と接続する接続部と、を含む。また、本発明の別の態様による内視鏡リプロセッサは、前記付属品ケースシステムを含む。
【発明の効果】
【００１４】
本発明によれば、複数の内視鏡に対して再生処理を施した場合に、再生処理済みの内視鏡付属品を分離される前の内視鏡と固有のセットとして管理可能な付属品ケース、付属品ケースシステムおよび内視鏡リプロセッサを提供することができる。
【図面の簡単な説明】
【００１５】
【図１】第１の実施形態の内視鏡リプロセッサの構成を示す図である。
【図２】第１の実施形態の付属品ケースシステムの構成を示す図である。
【図３】第１の実施形態の付属品ケースの出入部の構成を示す図である。
【図４】第１の実施形態の内視鏡リプロセッサにおいて付属品ケースシステム使用する状態を示す図である。
【図５】第１の実施形態の付属品ケースシステムの第１の変形例を示す図である。
【図６】第１の実施形態の付属品ケースの第２の変形例を示す図である。
【図７】第１の実施形態の付属品ケースの第３の変形例を示す図である。
【図８】第２の実施形態の付属品ケースシステムの構成を示す図である。
【図９】第２の実施形態の付属品ケースの出入部の構成を示す図である。
【図１０】第２の実施形態の内視鏡リプロセッサにおいて付属品ケースシステム使用する状態を示す図である。
【図１１】第２の実施形態の付属品ケースの第１の変形例を示す図である。
【図１２】第２の実施形態の付属品ケースシステムの第２の変形例を示す図である。
【発明を実施するための形態】
【００１６】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。
【００１７】
（第１の実施形態）  
以下に、本発明の実施形態の一例を説明する。図１に示す内視鏡リプロセッサ１は、内視鏡および内視鏡付属品１００に対して、再生処理を施す装置である。ここでいう再生処理とは特に限定されるものではなく、水によるすすぎ処理、有機物等の汚れを落とす洗浄処理、所定の微生物を無効化する消毒処理、全ての微生物を排除もしくは死滅させる滅菌処理、またはこれらの組み合わせ、のいずれであってもよい。
【００１８】
なお、以下の説明において、上方とは比較対象に対してより地面から遠ざかった位置のことを指し、下方とは比較対象に対してより地面に近づいた位置のことを指す。また、以下の説明における高低とは、重力方向に沿った高さ関係を示すものとする。
【００１９】
内視鏡リプロセッサ１は、制御部５、電源部６、処理槽２、送液口１７および付属品ケースシステム６０を備える。
【００２０】
制御部５は、演算装置（ＣＰＵ）、記憶装置（ＲＡＭ）、補助記憶装置、入出力装置および電力制御装置等を具備して構成することができ、使用者からの指示に従って所定のプログラムを実行し、内視鏡リプロセッサ１を構成する各部位の動作を制御する構成を有している。以下の説明における内視鏡リプロセッサ１に含まれる各構成の動作は、特に記載がない場合であっても制御部５によって制御される。
【００２１】
操作部７および表示部８は、制御部５と使用者との間の情報の授受を行うユーザインターフェースを構成する。操作部７は、例えばプッシュスイッチやタッチセンサ等の、使用者からの動作指示を受け付ける操作部材を含む。使用者からの動作指示は、操作部７により電気信号に変換され、制御部５に入力される。使用者からの動作指示とは、例えば再生処理の開始指示等である。なお、操作部７は、制御部５との間で有線通信または無線通信を行う内視鏡リプロセッサ１の本体部１ａと分離した電子機器に備えられる形態であってもよい。
【００２２】
また、表示部８は、例えば画像や文字を表示する表示装置、光を発する発光装置、音を発するスピーカ、振動を発するバイブレータ、またはこれらの組み合わせ、を含む。表示部８は、制御部５から使用者に対して情報を出力する。なお、表示部８は、制御部５との間で有線通信または無線通信を行う内視鏡リプロセッサ１の本体部１ａと分離した電子機器に備えられる形態であってもよい。
【００２３】
電源部６は、内視鏡リプロセッサ１の各部位に電力を供給する。電源部６は、商用電源等の外部から得た電力を各部位に分配する。なお、電源部６は、発電装置やバッテリーを備えていてもよい。
【００２４】
処理槽２は、開口部を有する凹形状であり、内部に液体を貯留することが可能である。処理槽２内には、内視鏡を配置することができる。処理槽２には、複数の内視鏡が配置可能であってもよい。
【００２５】
処理槽２の上部には、処理槽２の開口部を開閉する蓋３が設けられている。処理槽２内において内視鏡に再生処理を施す場合には、処理槽２の開口部は蓋３によって閉じられる。
【００２６】
処理槽２には洗浄液ノズル１５、薬液ノズル１２、排液口１１、循環口１３、循環ノズル１４、内視鏡管路接続部１６、および送液口１７が設けられている。
【００２７】
洗浄液ノズル１５は、洗浄液管路５１を介して、洗浄液を貯留する洗浄液タンク５０に連通する開口部である。洗浄液は、洗浄処理に用いられる。洗浄液管路５１には、洗浄液ポンプ５２が設けられている。洗浄液ポンプ５２は制御部５に接続されており、洗浄液ポンプ５２の動作は制御部５によって制御される。洗浄液ポンプ５２を運転することにより、洗浄液タンク５０内の洗浄液が、処理槽２内に移送される。
【００２８】
薬液ノズル１２は、薬液管路２６を介して薬液タンク２０に連通する開口部である。薬液タンク２０は、薬液を貯留する。薬液タンク２０が貯留する薬液の種類は特に限定されるものではないが、本実施形態では一例として、薬液は消毒処理に用いられる消毒液、または滅菌処理に用いられる滅菌液である。消毒液または滅菌液としては、過酢酸水溶液が挙げられる。
【００２９】
薬液管路２６には、薬液ポンプ２７が設けられている。薬液ポンプ２７を運転することにより、薬液タンク２０内の薬液が、薬液管路２６および薬液ノズル１２を経由して、処理槽２内に移送される。
【００３０】
また、本実施形態では一例として、薬液は、再生処理に用いられた後にも薬効を有している場合には、再使用可能である。よって、内視鏡リプロセッサ１は、処理槽２内の薬液を回収して薬液タンク２０内に戻す構成を備える。処理槽２内の薬液を回収して薬液タンク２０内に戻す構成については後述する。
【００３１】
排液口１１は、処理槽２内の最も低い箇所に設けられた開口部である。排液口１１は、排出管路２１に接続されている。排出管路２１は、排液口１１と切替バルブ２２とを連通している。切替バルブ２２には、回収管路２３および廃棄管路２５が接続されている。切替バルブ２２は、排出管路２１を閉塞した状態、排出管路２１と回収管路２３とを連通した状態、または排出管路２１と廃棄管路２５とを連通した状態、に切り替え可能である。切替バルブ２２は制御部５に接続されており、切替バルブ２２の動作は制御部５によって制御される。
【００３２】
回収管路２３は、薬液タンク２０と切替バルブ２２とを連通している。また、廃棄管路２５は内視鏡リプロセッサ１から排出される液体を受け入れるための排液設備と切替バルブ２２とを連通している。
【００３３】
切替バルブ２２を閉状態とすれば、処理槽２内に液体を貯留することができる。また、処理槽２内に薬液が貯留されている時に、切替バルブ２２を排出管路２１と回収管路２３とが連通した状態とすれば、薬液が処理槽２から薬液タンク２０に移送される。また、切替バルブ２２を排出管路２１と廃棄管路２５とが連通した状態とすれば、処理槽２内の液体が廃棄管路２５を経由して排液設備に送出される。なお、廃棄管路２５には、処理槽からの液体の排液を促進するためのポンプが設けられていてもよい。
【００３４】
循環口１３は、処理槽２の底面付近に設けられた開口部である。循環口１３は、循環管路１３ａに連通している。循環管路１３ａは、内視鏡循環管路３０および処理槽循環管路４０の二つの管路に分岐している。
【００３５】
内視鏡循環管路３０は、循環管路１３ａと後述するチャンネルブロック３２とを連通している。内視鏡循環管路３０には、流体送出ポンプ３３が設けられている。流体送出ポンプ３３は、稼働することにより内視鏡循環管路３０内の流体をチャンネルブロック３２に向かって移送する。
【００３６】
チャンネルブロック３２には、前述の内視鏡循環管路３０の他に、吸気管路３４、アルコール管路３８および送出管路３１が接続されている。チャンネルブロック３２は、送出管路３１と、内視鏡循環管路３０、吸気管路３４およびアルコール管路３８とを接続している。チャンネルブロック３２は、内視鏡循環管路３０、吸気管路３４およびアルコール管路３８のそれぞれから、チャンネルブロック３２内へ向かう方向にのみ流体の流れを許容する逆止弁が設けられている。すなわち、チャンネルブロック３２内から、内視鏡循環管路３０、吸気管路３４およびアルコール管路３８に向かって流体が流れないようになっている。
【００３７】
吸気管路３４は、一方の端部が大気に開放されており、他方の端部がチャンネルブロック３２に接続されている。なお、図示しないが、吸気管路３４の一方の端部には、通過する気体を濾過するフィルタが設けられている。エアポンプ３５は、吸気管路３４に設けられており、稼働することにより吸気管路３４内の気体をチャンネルブロック３２に向かって移送する。
【００３８】
アルコール管路３８は、アルコールを貯留するアルコールタンク３７とチャンネルブロック３２とを連通している。アルコールタンク３７内に貯留されるアルコールは、例えばエタノールが挙げられる。アルコール濃度については、適宜に選択することができる。アルコールポンプ３９は、アルコール管路３８に設けられており、稼働することによりアルコールタンク３７内のアルコールをチャンネルブロック３２に向かって移送する。
【００３９】
流体送出ポンプ３３、エアポンプ３５およびアルコールポンプ３９は、制御部５に接続されており、これらの動作は制御部５によって制御される。処理槽２内に液体が貯留されている場合に、流体送出ポンプ３３の運転を開始すれば、処理槽２内の液体が、循環口１３、循環管路１３ａおよび内視鏡循環管路３０を経由して、送出管路３１に送り込まれる。また、エアポンプ３５の運転を開始すれば、空気が送出管路３１に送り込まれる。また、アルコールポンプ３９の運転を開始すれば、アルコールタンク３７内のアルコールが送出管路３１に送り込まれる。
【００４０】
送出管路３１は、内視鏡接続管路３１ｂおよびケース接続管路３１ｃに分岐している。内視鏡接続管路３１ｂは、内視鏡接続部１６に接続されている。また、ケース接続管路３１ｃは、送液口１７に接続されている。
【００４１】
送液口１７は、処理槽２内に配設されており、後述する付属品ケースシステム６０を着脱可能である。送液口１７は、本実施形態では一例として、処理槽２の底面に配設されており、上方に向かって開口している。
【００４２】
送液口１７には、ケース接続管路３１ｃから処理槽２へ向かう方向にのみ流体の流動を許容する逆止弁が設けられている。付属品ケースシステム６０が装着されている場合には、送液口１７から送出された流体は、付属品ケースシステム６０内に送り込まれる。
【００４３】
内視鏡接続部１６は、内視鏡に設けられた口金に接続される。内視鏡接続部１６は、口金に直接接続される形態であってもよいし、接続チューブを介して口金に接続される形態であってもよい。
【００４４】
また、送出管路３１には、流路切替部３１ａが設けられている。流路切替部３１ａは、チャンネルブロック３２から送出管路３１内に送出された流体を、内視鏡接続管路３１ｂおよびケース接続管路３１ｃに分配または切り替えて流し込む。
【００４５】
本実施形態では一例として流路切替部３１ａは、送出管路３１と内視鏡接続管路３１ｂとを常時接続するリリーフ弁であって、内視鏡接続管路３１ｂ内の圧力が所定の値を超えた場合に、送出管路３１から流入する流体をケース接続管路３１ｃに逃がす。すなわち、流路切替部３１ａは、内視鏡接続管路３１ｂ内の圧力を一定に保つ。
【００４６】
本実施形態では、チャンネルブロック３２から送出管路３１に送出された流体は、内視鏡接続管路３１ｂおよび内視鏡接続部１６を経由して、内視鏡の口金に連通する管路内に導入される。そして、管路内に導入される流体の圧力が、リリーフ弁である流路切替部３１ａが作動する値を超えると、当該流体は、内視鏡の管路内の他に、ケース接続管路３１ｃおよび送液口１７を経由して、付属品ケースシステム６０内にも導入される。
【００４７】
なお、流路切替部３１ａは、送出管路３１および内視鏡接続管路３１ｂが連通した状態と、送出管路３１およびケース接続管路３１ｃが連通した状態とのいずれかに切り替え可能な弁機構であってもよい。
【００４８】
処理槽循環管路４０は、循環管路１３ａと循環ノズル１４とを連通している。循環ノズル１４は、処理槽２内に設けられた開口部である。処理槽循環管路４０には、流液ポンプ４１が設けられている。流液ポンプ４１は制御部５に接続されており、流液ポンプ４１の動作は制御部５によって制御される。
【００４９】
また、処理槽循環管路４０の流液ポンプ４１と循環ノズル１４との間には、三方弁４２が設けられている。三方弁４２には、給水管路４３が接続されている。三方弁４２は、循環ノズル１４と処理槽循環管路４０とを連通した状態、または循環ノズル１４と給水管路４３とを連通した状態、に切り替え可能である。
【００５０】
給水管路４３は、三方弁４２と水供給源接続部４６とを連通している。給水管路４３には、給水管路４３を開閉する水導入バルブ４５および水を濾過する水フィルタ４４が設けられている。水供給源接続部４６は、例えばホース等を介して、水を送出する水道設備等の水供給源４９に接続される。
【００５１】
三方弁４２および水導入バルブ４５は、制御部５に接続されており、これらの動作は制御部５によって制御される。
【００５２】
処理槽２内に液体が貯留されている場合に、三方弁４２を循環ノズル１４と処理槽循環管路４０とを連通した状態として、流液ポンプ４１の運転を開始すれば、処理槽２内の液体が、循環口１３、循環管路１３ａおよび処理槽循環管路４０を経由して、循環ノズル１４から吐出される。
【００５３】
また、三方弁４２を、循環ノズル１４と給水管路４３とを連通した状態として、水導入バルブ４５を開状態とすれば、水供給源４９から供給された水が循環ノズル１４から吐出される。循環ノズル１４から吐出された水は、処理槽２内に導入され、処理槽２内に配置された内視鏡等をすすぐためのすすぎ水等として用いられる。
【００５４】
次に、付属品ケースシステム６０の構成について説明する。
【００５５】
図２に示す付属品ケースシステム６０は、概略的には、内視鏡付属品１００を収容可能であって、内視鏡リプロセッサ１の処理槽２に設けられた送液口１７に接続可能に構成されており、付属品ケースシステム６０は、内視鏡付属品１００を送液口１７から送出される流体に接触させるためのものである。内視鏡付属品１００は、内視鏡と共に使用され、内視鏡から分離可能な部品である。内視鏡付属品１００は、例えば使用者が内視鏡の送気機能や送水機能を制御する際に操作する部材であるボタンや、使用しない開口部を塞ぐキャップや、起上台付内視鏡の先端キャップ等である。
【００５６】
付属品ケースシステム６０は、内視鏡付属品１００を収容する複数の付属品ケースを含む。本実施形態では一例として、付属品ケースシステム６０は、第１付属品ケース７０および第２付属品ケース８０を含む。付属品ケースシステム６０が備える複数の付属品ケースは、全て同じ形状であってもよいし、それぞれが異なる形状であってもよい。
【００５７】
なお、付属品ケースシステム６０に含まれる第１の付属品ケース７０および第２付属品ケース８０には、使用者による個々の識別を可能とするために、個々に異なる文字や記号等の表示が設けられていてもよい。また、付属品ケースシステム６０に含まれる第１付属品ケース７０および第２付属品ケース８０には、内視鏡リプロセッサ１が備える識別装置により読み取り可能な、バーコードやＲＦＩＤ等が設けられていてもよい。
【００５８】
第１付属品ケース７０は、第１容器７１、第１出入部７２、第１供給口７３および第１流出口７４を含む。また、第２付属品ケース８０は、第２容器８１、第２出入部８２、および第２供給口８３を含む。
【００５９】
第１容器７１は、内視鏡付属品１００を内部に収容可能な内部空間７１ａを有する。内部空間７１ａは、１台の内視鏡から分離される全ての内視鏡付属品１００を収容可能な形状を有していてもよい。同様に、第２容器８１は、内視鏡付属品１００を内部に収容可能な内部空間８１ａを有する。内部空間８１ａは、１台の内視鏡から分離される全ての内視鏡付属品１００を収容可能な形状を有してもよい。
【００６０】
図示する実施形態では一例として、第１容器７１および第２容器８１の外形と内部空間７１ａおよび８１ａの形状は略球形であるが、第１容器７１および第２容器８１の外形と内部空間７１ａおよび８１ａの形状は特に限定されるものではない。例えば、内部空間７１ａおよび８１ａの形状は、円柱形や角柱形等であってもよい。また、第１容器７１および第２容器８１の外形と内部空間７１ａおよび８１ａの形状とは、相似形でなくともよい。また、第１容器７１および第２容器８１の外形は互いに異なる形状を有していてもよい。また、内部空間７１ａおよび８１ａは、互いに異なる形状を有していてもよい。
【００６１】
第１容器７１および第２容器８１を構成する材料は特に限定されるものではなく、再生処理に用いられる薬液への耐性を有していればよい。なお、第１容器７１および第２容器８２の一部または全部が透明または半透明の材料によって構成されていれば、使用者が内部を視認することが容易となるため、好ましい。本実施形態では一例として、第１容器７１および第２容器８１を構成する材料は透明または半透明の樹脂である。
【００６２】
また、本実施形態の第１容器７１および第２容器８１の少なくとも一方には、外部から内部空間７１ａ（８１ａ）まで貫通する１つ又は複数の連通口７１ｂ（８１ｂ）が形成されていることが好ましい。連通口７１ｂ（８１ｂ）は、内部空間７１ａ（８１ａ）からの液体の排出を容易にするためのものである。連通口７１ｂ（８１ｂ）は、再生処理中に付属品１００が第１容器７１または第２容器８１の外に抄出されてしまわないよう、内視鏡付属品１００が通過できない形状である。また、連通口７１ｂ（８１ｂ）は、内視鏡付属品１００の一部分が嵌り込まない形状であることが好ましい。
【００６３】
なお、第１容器７１および第２容器８１が、送液口１７から送出される空気を用いることによって、後述する流出口７４（８４）を経由して内部空間７１ａ（８１ａ）内の液体を外部に排出することが可能である場合には、連通口７１ｂ（８１ｂ）は設けなくてもよい。連通口７１ｂ（８１ｂ）の開口面積をゼロまたは小さくすることで、内部空間７１ａ（８１ａ）内での付属品１００の撹拌能力を向上させることができる。
【００６４】
第１出入部７２は、内視鏡付属品１００を第１容器７１に出入させるための、第１容器７１に設けられた開口を含む。第２出入部８２は、内視鏡付属品１００を第２容器８１に出入させるための、第２容器８１に設けられた開口を含む。第１出入部７２の形態は特に限定されるものではないが、本実施形態では一例として、図３に示すように、第１出入部７２は、内視鏡付属品１００を内部空間７１ａ内に出入可能な形状である第１容器７１に設けられた出入口７２ａと、出入口７２ａを開閉する開閉蓋７２ｂと、を含む。また、第２容器８１に設けられる第２出入部８２の構成は、特に限定されるものではないが、本実施形態では一例として、図３に示すように、第２出入部８２は、第１出入部７２と同様の構成を有する。
【００６５】
図示する本実施形態では一例として、略球形である第１容器７１が一対の着脱可能な半球状の部材からなり、一方の半球状の部材に出入口７２ａが設けられ、他方の半球状の部材が開閉蓋７２ｂとして機能する。同様に、略球形である第２容器８１が一対の着脱可能な半球状の部材からなり、一方の半球状の部材に出入口８２ａが設けられ、他方の半球状の部材が開閉蓋８２ｂとして機能する。本実施形態のように、第１容器７１および第２容器８１が略球形状である場合に、第１容器７１および第２容器８１を一対の半球状の部材に分割可能な構成とすれば、内視鏡付属品１００を内部空間７１ａ内に出入させるための出入口７２ａ（８２ａ）の開口面積を大きくすることができるため、内視鏡付属品１００の出入の作業が容易に実行可能となる。また、出入口７２ａ（８２ａ）の開口面積が大きければ、内部空間７１ａ（８１ａ）内の清掃作業も容易に実行可能となる。
【００６６】
第１供給口７３は、第１容器７１に設けられた開口であり、内視鏡リプロセッサ１の処理槽２に設けられた送液口１７に接続する。第１供給口７３が送液口１７に接続した状態において、送液口１７と第１容器７１の内部空間７１ａとが連通する。なお、第１供給口７３は、第１出入部７２の出入口７２ａを兼ねていてもよい。
【００６７】
第１流出口７４は、第１容器７１に設けられた開口であり、第２付属品ケース８０に設けられた第２供給口８３に接続する。第１流出口７４が第２付属品ケース８０に設けられた第２供給口８３に接続した状態において、第１付属品ケース７０の第１容器７１の内部空間７１ａと、第２付属品ケース８０の第２容器８１の内部空間８１ａとが連通する。なお、第２供給口８３は、第２出入部８２の出入口８２ａを兼ねていてもよい。また、第２供給口８３は、内視鏡リプロセッサ１の処理槽２に設けられた送液口１７に接続可能であってもよい。
【００６８】
以上に説明した構成を有する本実施形態の付属品ケースシステム６０は、図４に示すように、第１付属品ケース７０の第１流出口７４と、第２付属品ケース８０の第２供給口８３とを接続することにより、第１付属品ケース７０の容器７１の内部空間７１ａと、第２付属品ケース８０の第２容器８１の内部空間８１ａとを連接することができる。
【００６９】
また、本実施形態では一例として、第２付属品ケース８０は、第２流出口８４を備える。第２流出口８４は、第１付属品ケース７０の第１流出口７４と同一形状である。すなわち、第２流出口８４には、他の第２付属品ケース８０の第２供給口８３を接続することができる。したがって、本実施形態の付属品ケースシステム６０は、２つ以上の第２付属品ケースを連接することができる。すなわち本実施形態の付属品ケースシステム６０は、３個以上の付属品ケースにより構成されていてもよい。
【００７０】
そして、付属品ケースシステム６０は、図４に示すように、第１供給口７３を、内視鏡リプロセッサ１の送液口１７に接続することによって、第１付属品ケース７０の内部空間７１ａおよび第２付属品ケース８０の内部空間８１ａと、送液口１７とを連接することができる。このため、本実施形態の付属品ケースシステム６０では、送液口１７から送出される流体を、連接された第１付属品ケース７０および第２付属品ケース内に流し込むことができる。この状態において、第１付属品ケース７０および第２付属品ケース８０に内視鏡付属品１００が収容されていれば、内視鏡付属品１００を送液口１７から送出される流体に接触させることができるため、内視鏡付属品１００に対して再生処理を施すことが可能である。
【００７１】
ここで、２つの内視鏡を処理槽２内に収容し、２つの内視鏡である内視鏡Ａおよび内視鏡Ｂに対して同時に再生処理を施すことが可能である内視鏡リプロセッサ１において、第１付属品ケース７０および第２付属品ケース８０を含む付属品ケースシステム６０を用いる場合を一例として説明する。また、この場合において、内視鏡Ａから分離された内視鏡付属品１００のグループを付属品群ａと称し、内視鏡Ｂから分離された内視鏡付属品１００のグループを付属品群ｂと称する。
【００７２】
この一例において、第１付属品ケース７０の第１容器７１内に内視鏡付属品群ａに含まれる全ての内視鏡付属品１００を収容し、第２付属品ケース８０の容器８１内に内視鏡付属品群ｂに含まれる全ての内視鏡付属品１００を収容し、図４に示すように第１付属品ケース７０および第２付属品ケース８０を連接した状態で送液口１７に接続すれば、内視鏡リプロセッサ１によって、付属品群ａおよびｂを分けた状態で付属品群ａおよびｂに対する再生処理を同時に実行することができる。
【００７３】
したがって、本実施形態の付属品ケースシステム６０を用いることにより、内視鏡リプロセッサ１による再生処理の実行後において、内視鏡付属品１００を分離される前の内視鏡と固有のセットとして管理可能となる。
【００７４】
また、本実施形態の第１付属品ケース７０および第２付属品ケース８０は、内部に収容している内視鏡付属品１００と共に消毒等の再生処理が施されるため、内視鏡リプロセッサ１から取り外した後にも内視鏡付属品１００を収容したままとしておくことにより、再生処理が実施された後の内視鏡付属品１００を内視鏡に装着するまで保管するための容器としても機能する。また、本実施形態では１つの付属品ケースに１つの内視鏡から分離された全ての内視鏡付属品１００が収容されるため、内視鏡と内視鏡付属品１００との紐付けを保ったまま、内視鏡付属品１００を保管することが容易となる。
【００７５】
次に、本実施形態の付属品ケースシステム６０の第１の変形例を説明する。図５に示す本変形例の付属品ケースシステム６０は、第１付属品ケース７０の第１流出口７４と、第２付属品ケース８０の第２供給口８３とを接続する接続部６１を備える点が、前述の本実施形態と異なる。接続部６１は、一方の端部が第１流出口７４に接続され、他方の端部が第２供給口８３に接続される、管状の部材である。なお、接続部６１は、可撓性を有していなくてもよい。
【００７６】
次に、本実施形態の付属品ケースシステム６０の第２の変形例を説明する。図６に示す本変形例の付属品ケースシステム６０が備える第１付属品ケース７０は、第１容器７１内に配設され、第１供給口７３と第１流出口７４とを接続する管路７５と、管路７５の内側を内部空間７１ａに連通する１つ又は複数の貫通孔７５ａと、を備える。なお、管路７５の形状は、図示するように直線状に限られるものではなく、内部空間７１ａ内において屈曲していてもよい。また、貫通孔７５ａが、管路７５を貫通する方向は、図示するように外壁面に直交する方向に限られるものではない。
【００７７】
本変形例では、第１供給口７３から流入した流体は、管路７５内に導入される。そして、管路７５内に導入される流体の一部が貫通孔７５ａを経由して第１容器７１の内部空間７１ａ内に噴出し、残りの流体が流出口７４から送出される。
【００７８】
本変形例の第１付属品ケース７０では、再生処理の実行時において内部空間７１ａ内に流体が噴出する箇所を、容器７１の内壁面とは異なる位置に配置することができるため、内部空間７１ａ内における流体の流動状態を制御することが可能となる。
【００７９】
なお、本変形例の第２付属品ケース８０も、第１付属品ケース７０と同様に、第２容器８１内に配設され、第２供給口８３と第２流出口８４とを接続する管路８５と、管路８５の内側を内部空間８１ａに連通する１つ又は複数の貫通孔８５ａと、を備えていてもよい。  また、本変形例の付属品ケースシステム６０は、第１の変形例と同様に、第１付属品ケース７０の第１流出口７４と、第２付属品ケース８０の第２供給口８３とを接続する接続部６１を備えていてもよい。
【００８０】
次に、本実施形態の付属品ケースシステム６０の第３の変形例を説明する。図７に示す本変形例の付属品ケースシステム６０が備える第１付属品ケース７０は、第１流出口７４にバルブ７６を備える。
【００８１】
バルブ７６は、第１流出口７４を開閉する機構を有し、第２付属品ケース８０の第２供給口８３が第１流出口７４に接続されている場合に開状態となるように構成されている。すなわち、第１流出口７４に何も接続されていない場合には、バルブ７６は第１流出口７４を閉じる。バルブ７６としては、公知の構造を採用可能である。
【００８２】
このように構成された本変形例では、第１付属品ケース７０のみを送液口１７に接続した場合において、第１流出口７４から流体が流出しない。また、本変形例では、第２付属品ケース８０も、第１付属品ケース７０と同様に、第２流出口８４を開閉するバルブ８６を備える。バルブ８６は、第２流出口８４を開閉する機構を有し、他の第２付属品ケース８０の第２供給口８３が第２流出口８４に接続されている場合に開状態となるように構成されている。したがって、本変形例では、複数の付属品ケースを連接した場合において、送液口１７から最も遠い位置に配置されている第２付属品ケース８０の第２流出口８４から流体が流出しない。
【００８３】
なお、本変形例の付属品ケースシステム６０は、第１の変形例と同様に、第１付属品ケース７０の第１流出口７４と、第２付属品ケース８０の第２供給口８３とを接続する接続部６１を備えていてもよい。この場合には、バルブ７６は、接続部６１が接続されている場合にも開状態となるように構成される。
【００８４】
また、本変形例の付属品ケースシステム６０は、第２の変形例と同様に、第１容器７１内に配設され、第１供給口７３と第１流出口７４とを接続する管路７５と、管路７５の内側を内部空間７１ａに連通する１つ又は複数の貫通孔７５ａと、を備えていてもよい。また、本変形例の付属品ケースシステム６０は、第２容器８１内に配設され、第２供給口８３と第２流出口８４とを接続する管路８５と、管路８５の内側を内部空間８１ａに連通する１つ又は複数の貫通孔８５ａと、を備えていてもよい。
【００８５】
（第２の実施形態）  
以下に、本発明の第２の実施形態を説明する。以下では第１の実施形態との相違点のみを説明するものとし、第１の実施形態と同様の構成要素については同一の符号を付し、その説明を適宜に省略する。
【００８６】
図８に示す本実施形態の付属品ケースシステム１６０は、内視鏡付属品１００を収容する２つの付属品ケース１７０と、接続部１６１と、を含む。２つの付属品ケース１７０は基本的に同一の形状を有する。
【００８７】
なお、個々の付属品ケース１７０には、使用者による識別を可能とするために、個々に異なる文字や記号等の表示が設けられていてもよい。また、個々の付属品ケース１７０には、内視鏡リプロセッサ１が備える識別装置により読み取り可能な、バーコードやＲＦＩＤ等が設けられていてもよい。
【００８８】
付属品ケース１７０は、容器１７１、出入部１７２、接続口１７３およびバルブ１７４を含む。
【００８９】
容器１７１は、内視鏡付属品１００を内部に収容可能な内部空間１７１ａを有する。内部空間１７１ａは、１台の内視鏡から分離される全ての内視鏡付属品１００を収容可能な形状を有している。
【００９０】
図示する実施形態では一例として、容器１７１の外形および内部空間１７１ａの形状は略球形であるが、容器１７１の外形および内部空間１７１ａの形状は特に限定されるものではない。例えば、内部空間１７１ａの形状は、円柱形や角柱形等であってもよい。また、容器１７１の外形と内部空間１７１ａの形状とは、相似形でなくともよい。
【００９１】
また、容器１７１を構成する材料は特に限定されるものではなく、再生処理に用いられる薬液への耐性を有していればよい。なお、容器１７１の一部または全部が透明または半透明の材料によって構成されていれば、使用者が容器１７１内を視認することが容易となるため、好ましい。本実施形態では一例として、容器１７１を構成する材料は透明または半透明の合成樹脂である。
【００９２】
また、本実施形態の容器１７１には、外部から内部空間１７１ａまで貫通する１つ又は複数の連通口１７１ｂが形成されている。連通口１７１ｂは、内部空間１７１ａからの液体の排出を容易にするためのものである。連通口１７１ｂは、内視鏡付属品１００が通過できない形状である。また、連通口１７１ｂは、内視鏡付属品１００の一部分が嵌り込まない形状であることが好ましい。
【００９３】
出入部１７２は、内視鏡付属品１００を容器１７１に出入させるための、容器１７１に設けられた開口である。出入部１７２の形態は特に限定されるものではないが、本実施形態では一例として、図９に示すように、出入部１７２は、内視鏡付属品１００を内部空間１７１ａ内に出入可能な形状である容器１７１に設けられた出入口１７２ａと、出入口１７２ａを開閉する開閉蓋１７２ｂと、を含む。
【００９４】
図示する本実施形態では一例として、略球形である容器１７１が一対の着脱可能な半球状の部材からなり、一方の半球状の部材に出入口１７２ａが設けられ、他方の半球上の部材が開閉蓋１７２ｂとして機能する。本実施形態のように、容器１７１が略球形状である場合に、容器１７１を一対の半球状の部材に分割可能な構成とすれば、内視鏡付属品１００を内部空間１７１ａ内に出入させるための出入口１７２ａの開口面積を大きくすることができるため、内視鏡付属品１００の出入の作業が容易に実行可能となる。また、出入口１７２ａの開口面積が大きければ、内部空間１７１ａ内の清掃作業も容易に実行可能となる。
【００９５】
接続口１７３は、容器７１の２箇所に設けられた開口であり、内視鏡リプロセッサ１の処理槽２に設けられた送液口１７もしくは後述する接続部１６１に接続する。２つの接続口１７３は、同一形状である。
【００９６】
なお、図示する本実施形態では、２つの接続口１７３は、容器７１の内部空間７１ａを挟んで反対方向を向くように配置されているが、２つの接続口１７３の配置は本実施形態に限られるものではない。例えば、２つの接続口１７３は、容器７１の外周面において略同一の方向を向くように配置されていてもよい。
【００９７】
バルブ１７４は、２つの接続口１７３のそれぞれに設けられている。個々のバルブ１７４は、当該バルブ１７４が設けられている接続口１７３を開閉する機構を有し、接続口１７３に送液口１７または接続部１６１が接続されている場合に開状態となるように構成されている。すなわち、接続口１７３に何も接続されていない場合には、バルブ１７４は接続口１７３を閉じる。このような機能を有するバルブ１７４は一般的であるため、構成の詳細な説明は省略する。
【００９８】
接続部１６１は、管状の部材であり、両端が付属品ケース７０の接続口１７３と接続可能である。図１０に示すように、接続部１６１の一方の端部を一の付属品ケース１７０の接続口１７３に接続し、接続部１６１の他方の端部を他の付属品ケース１７０の接続口１７３に接続することにより、２つの付属品ケース１７０の容器１７１の内部空間１７１ａ同士が連接した状態となる。なお、接続部１６１は、可撓性を有していてもよい。
【００９９】
以上に説明した構成を有する本実施形態の付属品ケースシステム１６０は、図１０に示すように、２つの付属品ケース１７０の内部空間１７１ａ同士が連接した状態において、いずれか一方の付属品ケース１７０の接続部１６１が接続されていない接続口１７３を内視鏡リプロセッサ１の送液口１７に接続することによって、連接された状態の２つの内部空間１７１ａと、送液口１７とを接続することができる。
【０１００】
ここで、本実施形態の付属品ケース１７０の接続口１７３は、全て同じ形状であることから、使用者は使用する際に付属品ケース１７０と接続部１６１の向きを確認する必要が無く、作業を容易に実行することが可能となる。
【０１０１】
そして、本実施形態の付属品ケースシステム１６０では、送液口１７から送出される流体を、連接された２つの付属品ケース１７０の容器１７１の内部空間１７１ａ内に流し込むことができる。この状態において、付属品ケース１７０の容器１７１内に内視鏡付属品１００が収容されていれば、内視鏡付属品１００を送液口１７から送出される流体に接触させることができるため、内視鏡付属品１００に対して再生処理を施すことが可能である。またこのとき、本実施形態では内部空間１７１ａが略球形状であることから、内部空間１７１ａ内に流れ込んだ流体が撹拌されるため、内視鏡付属品１００に対して偏りなく再生処理を施すことが可能である。
【０１０２】
ここで、２つの内視鏡を処理槽２内に収容し、２つの内視鏡である内視鏡Ａおよび内視鏡Ｂに対して同時に再生処理を施すことが可能である内視鏡リプロセッサ１において、本実施形態の付属品ケースシステム１６０を用いる場合を説明する。この場合において、内視鏡Ａから分離された内視鏡付属品１００のグループを付属品群ａと称し、内視鏡Ｂから分離された内視鏡付属品１００のグループを付属品群ｂと称する。
【０１０３】
この場合において、一方の付属品ケース１７０の容器１７１内に内視鏡付属品群ａに含まれる全ての内視鏡付属品１００を収容し、他方の付属品ケース１７０の容器１７１内に内視鏡付属品群ｂに含まれる全ての内視鏡付属品１００を収容し、図１０に示すように２つの付属品ケース１７０を連接した状態で送液口１７に接続すれば、内視鏡リプロセッサ１によって、２つの内視鏡ＡおよびＢと、これらから分離された全ての付属品群ａおよびｂとに対する再生処理を同時に実行することができる。
【０１０４】
そして、この場合において、付属品群ａと付属品群ｂとは、異なる容器１７１内に収容されていることから、再生処理の実行時および再生処理の実行後に、両者が混じってしまうことがない。したがって、本実施形態の付属品ケースシステム１６０を用いることにより、内視鏡リプロセッサ１による再生処理の実行後において、内視鏡付属品１００を分離される前の内視鏡と固有のセットとして管理可能となる。
【０１０５】
また、本実施形態の付属品ケース１７０は、内部に収容している内視鏡付属品１００と共に消毒等の再生処理が施されるため、内視鏡リプロセッサ１から取り外した後にも内視鏡付属品１００を収容したままとしておくことにより、再生処理が実施された後の内視鏡付属品１００を内視鏡に装着するまで保管するための容器としても機能する。
【０１０６】
また、本実施形態の付属品ケース１７０は、内視鏡リプロセッサ１から取り外した状態において、接続口１７３がバルブ１７４によって閉じられる。このため、内視鏡付属品１００が収容されている容器１７１内への塵埃の侵入を抑制することができる。
【０１０７】
また、本実施形態では１つの付属品ケース１７０に１つの内視鏡から分離された全ての内視鏡付属品１００が収容されるため、内視鏡と内視鏡付属品１００との紐付けを保ったまま、内視鏡付属品１００を保管することが容易となる。
【０１０８】
次に、本実施形態の付属品ケースシステム１６０の第１の変形例を説明する。図１１に示す本変形例の付属品ケースシステム１６０が備える付属品ケース１７０は、容器１７１内に配設され、一対の接続口１７３を接続する管路１７５と、管路１７５の内側を内部空間１７１ａに連通する１つ又は複数の貫通孔１７５ａと、を備える。なお、管路１７５の形状は、図示するように直線状に限られるものではなく、内部空間１７１ａ内において屈曲していてもよい。また、貫通孔１７５ａが、管路１７５を貫通する方向は、図示するように外壁面に直交する方向に限られるものではない。
【０１０９】
本変形例では、一方の接続口１７３から流入した流体は、管路１７５内に導入される。そして、管路１７５内に導入される流体の一部が貫通孔１７５ａを経由して容器７１の内部空間１７１ａ内に噴出し、残りの流体が他方の接続口１７３から送出される。
【０１１０】
本変形例の付属品ケース１７０では、再生処理の実行時において内部空間１７１ａ内に流体が噴出する箇所を、容器１７１の内壁面とは異なる位置に配置することができるため、内部空間１７１ａ内における流体の流動状態を制御することが可能となる。
【０１１１】
次に、本実施形態の付属品ケースシステム１６０の第２の変形例を説明する。図１２に示す本変形例の付属品ケースシステム１６０は、接続部１６１が、流量制御部１６２を備える。
【０１１２】
流量制御部１６２は、２つの付属品ケース１７０が連接された状態で送液口１７に接続された場合において、送液口１７に直接的に接続された一方の付属品ケース１７０から接続部１６１を経由して他方の付属品ケース１７０に流れ込む流体の流量Ｑ２を制御する。
【０１１３】
具体的には、流量制御部１６２は、送液口１７の開口面積よりも小さい開口面積を有するオリフィス状の流路である。流量制御部１６２は、送液口１７に直接的に接続された一方の付属品ケース１７０から接続部１６１を経由して他方の付属品ケース１７０に流れ込む流体の流量Ｑ２を、送液口１７から送出される流体の流量Ｑ１の概ね半分とするように構成されている。
【０１１４】
例えば、送液口１７が内部空間１７１ａ内に直接開口する場合であれば、送液口１７から送出される流体の流量Ｑ１は、送液口１７の開口面積により定められる。この場合には、流量制御部１６２の開口面積は、送液口１７の開口面積の概ね半分とされる。なお、実際には、連通口１７１ｂ等から容器１７１の外に流出する流体の流量も考慮する必要があるため、流量制御部１６２の開口面積は、送液口１７の開口面積の半分よりもやや大きくなる。
【０１１５】
また、例えば、送液口１７と内部空間１７１ａとの間に接続口１７３が存在し、接続口１７３の開口面積が送液口１７の開口面積よりも小さい場合には、送液口１７から送出される流体の流量Ｑ１は、接続口１７３の開口面積により制限される。この場合には、流量制御部１６２の開口面積は、接続口１７３の開口面積を考慮して定められる。
【０１１６】
本実施形態では、２つの付属品ケース１７０に等しい流量で流体が導入されるため、いずれの付属品ケース１７０においても等しく内視鏡付属品１００に対する再生処理を施すことが可能である。
【０１１７】
なお、本変形例の付属品ケース１７０は、第１の変形例と同様に、容器１７１内に配設され、２つの接続口１７３を接続する管路１７５と、管路１７５の内側を内部空間１７１ａに連通する１つ又は複数の貫通孔１７５ａと、を備えていてもよい。
【０１１８】
本発明は、前述した実施形態に限られるものではなく、請求の範囲および明細書全体から読み取れる発明の要旨或いは思想に反しない範囲で適宜変更可能であり、そのような変更を伴う付属品ケース、付属品ケースシステムおよび内視鏡リプロセッサもまた本発明の技術的範囲に含まれるものである。
【符号の説明】
【０１１９】
１    内視鏡リプロセッサ、
１ａ    本体部、
２    処理槽、
３    蓋、
５    制御部、
６    電源部、
７    操作部、
８    表示部、
１１    排液口、
１２    薬液ノズル、
１３    循環口、
１３ａ    循環管路、
１４    循環ノズル、
１５    洗浄液ノズル、
１６    内視鏡管路接続部、
１７    送液口、
２０    薬液タンク、
２１    排出管路、
２２    切替バルブ、
２３    回収管路、
２５    廃棄管路、
２６    薬液管路、
２７    薬液ポンプ、
３０    内視鏡循環管路、
３１    送出管路、
３１ａ    流路切替部、
３１ｂ    内視鏡接続管路、
３１ｃ    ケース接続管路、
３２    チャンネルブロック、
３３    流体送出ポンプ、
３４    吸気管路、
３５    エアポンプ、
３７    アルコールタンク、
３８    アルコール管路、
３９    アルコールポンプ、
４０    処理槽循環管路、
４１    流液ポンプ、
４２    三方弁、
４３    給水管路、
４４    水フィルタ、
４５    水導入バルブ、
４６    水供給源接続部、
４９    水供給源、
５０    洗浄液タンク、
５１    洗浄液管路、
５２    洗浄液ポンプ、
６０    付属品ケースシステム、
６１    接続部、
７０    第１付属品ケース、
７１    第１容器、
７１ａ    内部空間、
７１ｂ    連通口、
７２    第１出入部、
７２ａ    出入口、
７２ｂ    開閉蓋、
７３    第１供給口、
７４    第１流出口、
７５    管路、
７５ａ    貫通孔、
７６    バルブ、
８０    第２付属品ケース、
８１    第２容器、
８１ａ    内部空間、
８１ｂ    連通口、
８２    第２出入部、
８２ａ    出入口、
８２ｂ    開閉蓋、
８３    第１供給口、
８４    第２流出口、
８５    管路、
８５ａ    貫通孔、
８６    バルブ、
１００    内視鏡付属品、
１６０    付属品ケースシステム、
１６１    接続部、
１７０    付属品ケース、
１７１    容器、
１７１ａ    内部空間、
１７１ｂ    連通口、
１７２    出入部、
１７２ａ    出入口、
１７２ｂ    開閉蓋、
１７３    接続口、
１７４    バルブ、
１７５    管路、
１７５ａ    貫通孔。
【図１】
2018143538.tif 000003
【図２】
2018143538.tif 000004
【図３】
2018143538.tif 000005
【図４】
2018143538.tif 000006
【図５】
2018143538.tif 000007
【図６】
2018143538.tif 000008
【図７】
2018143538.tif 000009
【図８】
2018143538.tif 000010
【図９】
2018143538.tif 000011
【図１０】
2018143538.tif 000012
【図１１】
2018143538.tif 000013
【図１２】
2018143538.tif 000014